(57)【特許請求の範囲】
【請求項１】
加熱用のバーナと該バーナによって加熱される給湯用の貯湯槽を備え且つ暖房や風呂追い焚きのための熱交換コイルを前記貯湯槽内に配設した貯湯缶体と、該貯湯缶体への入水管と、前記貯湯缶体からの出湯管と、前記入水管の途中から分岐して出湯管へ直接接続する混水用のバイパス管と、該バイパス管と前記出湯管との合流点にあって前記バイパス管側からの水量と前記出湯管側からの温水量との混合比を調節して設定給湯温度の温水とする混合調節器と、該混合調節器から下流に配設される給湯管と、該給湯管に設けられる給湯温度センサとを備えた貯湯式給湯装置であって、前記給湯温度センサが故障した場合に、安全動作として前記貯湯缶体のバーナの運転停止を指令することなく、代わりに安全動作として前記混合調節器のバイパス管側通路全開状態を指令するコントローラを設けたことを特徴とする貯湯式給湯装置。
【発明の詳細な説明】
【０００１】
【産業上の利用分野】
本発明は、貯湯式の給湯装置、例えばセミ貯湯式の給湯装置に関し、貯湯缶体内に貯湯された高温の温水を水と混合して、所定の設定給湯温度にして給湯することができると共に、貯湯缶体内に風呂追い焚き用の熱交換コイルや暖房用の熱交換コイルを通して風呂追い焚き運転や暖房運転を可能とした貯湯式給湯装置に関する。
【０００２】
【従来の技術】
従来、セミ貯湯タイプといわれる、比較的貯湯量の小さい貯湯缶体を備えた給湯装置においては、一般に、貯湯量の小さい缶体に貯湯された比較的高温の温水を、水と混水することで設定給湯温度の温水を給湯するようにしている。このため温水と水とを所定の設定給湯温度に混合調節するための混合調節器が設けられている。そして従来は、混合調節した後の温水温度、即ち給湯温度を検出する給湯温度センサが故障した場合には、給湯使用者が火傷等を負ったりしないように安全動作として、貯湯缶体のバーナの燃焼運転を停止する構成としていた。
【０００３】
【発明が解決しようとする課題】
ところが、上記従来の貯湯式給湯装置では、給湯温度センサが故障した場合に、貯湯缶体のバーナの燃焼を停止する構成とさせているため、貯湯缶体の貯湯槽に対して風呂追い焚き用の熱交換コイルや暖房用の熱交換コイルを配設して、風呂追い焚き運転や暖房運転を併せて行う給湯装置においては、給湯温度センサの故障によりバーナの燃焼運転停止がなされてしまうことで、関係のない風呂追い焚き運転や暖房運転もできなくなるという問題があった。
【０００４】
そこで本発明は、上記従来装置の欠点を解消し、給湯温度センサが故障した場合においても、風呂追い焚き運転や暖房運転を引き続き行うことができ、しかも給湯運転においては、少なくとも使用者が火傷等を負わないようにすることができる貯湯式給湯装置の提供を目的とする。
【０００５】
【課題を解決するための手段】
上記目的を達成するため、本発明の貯湯式給湯装置は、加熱用のバーナと該バーナによって加熱される給湯用の貯湯槽を備え且つ暖房や風呂追い焚きのための熱交換コイルを前記貯湯槽内に配設した貯湯缶体と、該貯湯缶体への入水管と、前記貯湯缶体からの出湯管と、前記入水管の途中から分岐して出湯管へ直接接続する混水用のバイパス管と、該バイパス管と前記出湯管との合流点にあって前記バイパス管側からの水量と前記出湯管側からの温水量との混合比を調節して設定給湯温度の温水とする混合調節器と、該混合調節器から下流に配設される給湯管と、該給湯管に設けられる給湯温度センサとを備えた貯湯式給湯装置であって、前記給湯温度センサが故障した場合に、安全動作として前記貯湯缶体のバーナの運転停止を指令することなく、代わりに安全動作として前記混合調節器のバイパス管側通路全開状態を指令するコントローラを設けたことを特徴としている。
【０００６】
【作用】
上記本発明の特徴によれば、運転中において給湯温度センサが、断線や短絡等により故障した場合に、その故障情報を受けたコントローラは、安全動作として、混合調節器に対してバイパス管側通路の全開指令を出し、バーナの運転については運転停止指令は出さない。これによって、引き続きバーナによる貯湯缶体の加熱運転が可能となり、風呂追い焚き運転や暖房運転も支障なく行われる。一方、給湯温度センサの故障中に給湯がなされた場合には、バイパス管側通路が全開状態に維持されているので、出湯管からの温水に対してバイパス管からの水が大量に混水されることになり、この結果、給湯温度が下がり、所定の設定給湯温度の温水を供給することができなくなるが、使用者に火傷等を負わすと言った問題が解消される。
【０００７】
【実施例】
以下に本発明を実施例に基づいて説明する。図１は本発明実施例を示す貯湯式給湯装置の全体構成図、図２はコントローラによる制御フローチャートである。
【０００８】
図１において、貯湯缶体１０に対して入水管２０と出湯管４０が接続されており、貯湯缶体１０の近くで前記入水管２０から分岐されたバイパス管３０が出湯管４０に接続されている。バイパス管３０の出湯管４０への合流点には混合調節器５０が設けられている。混合調節器５０よりも下流は給湯管６０になっている。
前記貯湯缶体１０は、セミ貯湯タイプの貯湯缶体とし、缶体１０内下部に燃焼室１１が設けられ、石油バーナ１２による燃焼が行われる。前記石油バーナ１２はガスバーナであってもよい。前記燃焼室１１から立設する排気管１３の外側は貯湯槽１４となっており、温水が貯湯される。貯湯槽１４には前記排気管１３に近い方に暖房用熱交換コイル１５が設けられ、遠い方に風呂追い焚き用熱交換コイル１６が設けられている。また貯湯缶体１０内の貯湯温度を検出する貯湯温度センサ１７が設けられている。
【０００９】
前記入水管２０には入水温度センサ２１と入水流量センサ２２とが設けられている。また前記混合調節器５０よりも下流の給湯管６０に給湯温度センサ６１、給湯流量センサ６２が設けられている。混合調節器５０を通って給湯管６０に送り込まれた温水は末端の給湯カラン６３から供され、また途中で分岐された風呂給湯管６４を通って浴槽に供されたりする。
７０は装置の動作を制御するコントローラで、マイコンを内蔵し、装置各部のセンサからの情報やリモコンからの指令を入力し、所定のプログラムに従って所定の制御動作を石油バーナ１２や混合調節器５０、その他に出力する。
【００１０】
前記コントローラ７０による給湯運転制御例を、図２も参照して説明すると、今、給湯カラン６３等が開いて、給湯が開始されると、コントローラ７０は、入水温度センサ２１からの入水温度、貯湯温度センサ１７からの貯湯温度、及び使用者等によって設定された設定給湯温度とから、設定給湯温度の温水が給湯管６０に給湯されるように混合調節器５０によるバイパス管３０からの水と出湯管４０からの温水との混合比を演算して、その混合比となるように混合調節器５０を調節制御する（Ｓ１）。給湯運転中は一定の時間間隔毎に、また設定給湯温度が変更される都度に再演算して適当な混合比を確保する。
そして給湯運転中等において、給湯温度センサ６１からの入力信号により給湯温度センサ６１が故障であるとコントローラが判断した場合には（Ｓ２）、コントローラ７０は、安全動作として、混合調節器５０に対してバイパス管側通路を全開状態とする指令を出す（Ｓ３）。よって混合調節器５０は給湯温度センサ６１が故障状態にある間、バイパス管３０からの通路を全開に維持することになる。前記において、故障を判定するとコントローラ７０は給湯温度センサ６１の故障表示をコントローラ７０やリモコン等の表示部に行う（Ｓ３）。
前記給湯温度センサ６１の故障は、給湯温度センサ６１側からの信号が、給湯温度センサ６１の断線状態や短絡状態を示す信号の場合、その他の異常な信号として予めコントローラ７０に記憶されている信号である場合に、コントローラ７０が故障であると判定する。そして故障を判定すると、コントローラ７０は給湯温度センサ６１の故障表示をコントローラ７０やリモコン等の表示部に行う。
【００１１】
上記において給湯温度センサ６１の故障が判定されても、コントローラ７０は安全動作指令として石油バーナ１２の運転停止指令は出さない構成としている。これによって、石油バーナ１２は通常に燃焼することができ、その燃焼によって燃焼缶体１０は引き続き所定の貯湯温度に加熱維持されることができ、暖房用熱交換コイル１５による正常な熱交換が確保され、暖房運転を引き続き支障なく行うことができる。同様に風呂追い焚き用熱交換コイル１６による正常な熱交換が確保され、風呂追い焚き運転を引き続き支障なく行うことができる。
【００１２】
【発明の効果】
本発明は以上の構成よりなり、請求項１に記載の貯湯式給湯装置によれば、給湯温度センサが故障した場合に、安全動作として前記貯湯缶体のバーナの運転停止を指令することなく、代わりに安全動作として前記混合調節器のバイパス管側通路全開状態を指令するコントローラを設けたので、バーナについては引き続き通常に運転することができ、よって貯湯缶体を所定の貯湯温度に維持することができるので、暖房用熱交換コイルや風呂追い焚き用熱交換コイルよる正常な熱交換を確保することができ、暖房運転、風呂追い焚き運転を引き続き支障なく行うことができる。そして一方、給湯運転については、出湯管からの温水に対してバイパス管からの水が大量に混水されることになり、所定の設定給湯温度の温水を供給することができなくなるが、使用者に火傷等を負わすと言った問題を確実に解消することができる。
【図面の簡単な説明】
【図１】本発明実施例を示す貯湯式給湯装置の全体構成図である。
【図２】コントローラによる制御フローチャートである。
【符号の説明】
１０  貯湯缶体
１２  石油バーナ
１４  貯湯槽
１５  暖房用熱交換コイル
１６  風呂追い焚き用熱交換コイル
２０  入水管
３０  バイパス管
４０  出湯管
５０  混合調節器
６０  給湯管
６１  給湯温度センサ
７０  コントローラ
【図１】
0003551496.tif 000002
【図２】
0003551496.tif 000003